(57)【要約】      （修正有）【課題】使用済み生理用ナプキンをごみ箱に捨てる際に、ごみ箱の内部を見えにくくする生理用品廃棄用ごみ箱を提供する。【解決手段】生理用品廃棄用ごみ箱１０に、収納容器４０と上部カバー２０と受皿２４と蓋部２２とセンサー３０と制御器とモーターとを備える。収納容器４０は、上面に第１開口が形成されている。上部カバー２０は、収納容器４０の上面の第１開口を覆い、第２開口が形成されている。蓋部２２は、受皿２４と一体成型されていて、上部カバー２０の第２開口を覆う。センサー３０は、上部カバーに固定されている。制御器は、モーターを駆動して、センサー３０が使用者の手５０の接近を検知したら、蓋部２２を開いて受皿２４を第２開口から露出させ、かつ、蓋部２２が開いた後、所定の時間の経過後に蓋部２２を閉じる。【選択図】図１
0003199370.tif 000002
【実用新案登録請求の範囲】
【請求項１】
上面に第１開口が形成された収納容器と、
前記第１開口を覆い第２開口が形成された上部カバーと、
受皿と、
前記受皿と一体成型されて前記第２開口を覆う蓋部と、
前記上部カバーに固定されたセンサーと、
前記センサーが使用者の接近を検知したら前記蓋部を開いて前記受皿を前記第２開口から露出させ、かつ、前記蓋部が開いた後所定の時間の経過後に前記蓋部を閉じる開閉手段と、
を有する生理用品廃棄用ごみ箱。
【考案の詳細な説明】
【技術分野】
【０００１】
本考案は、生理用品廃棄用ごみ箱に関する。
【背景技術】
【０００２】
生理用ナプキンは、たとえばトイレなどで交換される。そこで女性用トイレには、使用済みの生理用ナプキンなどを捨てるごみ箱が設置されていることが多い。
【０００３】
使用済みの生理用ナプキンをごみ箱に捨てる際、ごみ箱内の使用済みの生理用ナプキンが見えると不快感が生じる場合がある。また、後に捨てる人に自分の使用済みの生理用ナプキンが見られることに不快感を覚える場合もある。
【０００４】
そこで、ごみ箱の内部が極力見えないようにするため、上部に蓋部材と受皿を設けたごみ箱がある。このごみ箱に使用済みの生理用ナプキンを捨てる際には、ごみ箱の内部が見えないように開口を極力覆った受皿で生理用ナプキンを受け止め、その後、生理用ナプキンをごみ箱の内部に落下させるように受皿を傾けつつ、蓋部材で開口を塞ぐようにする。
【０００５】
生理用ナプキンには、一般的に、下着などに固定するための接着テープを備えている。このため、生理用ナプキンを受皿付きのごみ箱に捨てる際には、生理用ナプキンが受皿に接着してしまう可能性がある。そこで、受皿にスリットを形成し、そのスリットを貫通する板材で受皿から生理用ナプキンを剥がすごみ箱が考案されている。
【先行技術文献】
【特許文献】
【０００６】
【特許文献１】特許４００５６９４号公報
【考案の概要】
【考案が解決しようとする課題】
【０００７】
使用済み生理用ナプキンを捨てるごみ箱において、スリットが形成された受皿を備えている場合、スリットからごみ箱内部が覗き見えてしまう。また、スリットからごみ箱内部のにおいが外部に漏れだす可能性もある。
【０００８】
そこで、本考案は、使用済み生理用ナプキンをごみ箱に捨てる際に、ごみ箱の内部を見えにくくすることを目的とする。
【課題を解決するための手段】
【０００９】
上述の目的を達成するため、本考案は、生理用品廃棄用ごみ箱において、上面に第１開口が形成された収納容器と、前記第１開口を覆い第２開口が形成された上部カバーと、受皿と、前記受皿と一体成型されて前記第２開口を覆う蓋部と、前記上部カバーに固定されたセンサーと、前記センサーが使用者の接近を検知したら前記蓋部を開いて前記受皿を前記第２開口から露出させ、かつ、前記蓋部が開いた後所定の時間の経過後に前記蓋部を閉じる開閉手段と、を有することを特徴とする。
【考案の効果】
【００１０】
本考案によれば、使用済み生理用ナプキンをごみ箱に捨てる際に、ごみ箱の内部を見えにくくすることができる。
【図面の簡単な説明】
【００１１】
【図１】本考案に係る生理用品廃棄用ごみ箱の一実施の形態における斜視図である。
【図２】本考案に係る生理用品廃棄用ごみ箱の一実施の形態における蓋部の回転軸に平行な立断面図である。
【図３】本考案に係る生理用品廃棄用ごみ箱の一実施の形態における蓋部の回転軸に垂直な立断面図である。
【考案を実施するための形態】
【００１２】
本考案に係る生理用品廃棄用ごみ箱の一実施の形態を、図面を参照して説明する。なお、この実施の形態は単なる例示であり、本発明はこれに限定されない。同一または類似の構成には同一の符号を付し、重複する説明は省略する。
【００１３】
図１は、本考案に係る生理用品廃棄用ごみ箱の一実施の形態における斜視図である。図２は、本実施の形態の生理用品廃棄用ごみ箱の蓋部の回転軸に平行な立断面図である。図３は、本実施の形態の生理用品廃棄用ごみ箱の蓋部の回転軸に垂直な立断面図である。
【００１４】
本実施の形態の生理用品廃棄用ごみ箱１０は、収納容器４０と上部カバー２０と受皿２４と蓋部２２とセンサー３０と制御器３２とモーター３４とを有している。収納容器４０は、上部に略長方形の開口（第１開口）が形成された略直方体の箱体である。収納容器４０と上部カバー２０と受皿２４と蓋部２２とは、たとえば樹脂で形成されている。
【００１５】
上部カバー２０は、収納容器４０に形成された第１開口を覆う。上部カバー２０には、上部に略長方形の開口（第２開口）が形成されている。上部カバー２０は、奥側に平坦部が形成されており、その平坦部から手前側に向かって傾斜部が形成されている。第２開口は、平坦部から傾斜部に跨って形成されている。第２開口の手前側には舌部２１が鉛直下方に延びている。
【００１６】
受皿２４は、長方形板状部分を備え、その板状部分の上面には、短辺に平行な方向に延びる突条２６が形成されている。受皿２４は、長方形板状部分の奥側に板状部分に垂直な奥側壁を備えている。受皿２４は、長方形板状部分の両側辺に板状部分に垂直な側壁を備えている。
【００１７】
蓋部２２は、受皿２４と一体として略長方形に形成されている。受皿２４の奥側壁の上端と蓋部２２の奥側の長辺と結合している。蓋部２２は、上部カバー２０に形成された第２開口を覆っている。受皿２４と蓋部２２との結合部分には、モーター３４に結合された回転シャフトが設けられている。
【００１８】
センサー３０は、上部カバー２０の上面の第２開口近傍に設けられている。センサー３０は、たとえば使用者の手のひらなどの接近を検知する。
【００１９】
制御器３２は、センサー３０およびモーター３４に接続されている。制御器３２は、センサー３０が使用者の手５０の接近を検知したら、その検知信号を受信する。
【００２０】
制御器３２は、センサー３０から使用者の接近の検知信号を受信したら、モーター３４を駆動して、受皿２４と蓋部２２との結合部分の回転シャフトを所定の角度回転させて、蓋部２２を開く。また、制御器３２は、蓋部２２が開いた後、所定の時間経過後に、モーター３４を駆動して、受皿２４と蓋部２２との結合部分の回転シャフトを所定の角度逆方向に回転させて、蓋部２２を閉じる。
【００２１】
使用者は、センサー３０に手のひらを近づけて、蓋部２２を開かせ、使用済み生理用ナプキンを受皿２４に置く。その後、蓋部２２は自動的に閉じる。蓋部２２が閉じることにより、蓋部２２と一体成型された受皿２４の板状部分は、収納容器４０の内側に向かって傾く。受皿２４が傾くことによって、使用済み生理用ナプキンは、重力の作用によって、収納容器４０の内部に落下する。
【００２２】
本実施の形態の生理用品廃棄用ごみ箱１０において、上部カバー２０に形成された第２開口は、蓋部２２が開いた状態の際には、受皿２４の板状部分、奥側壁および側壁、並びに、上部カバー２０の舌部２１で塞がれた状態になっている。このため、使用済み生理用ナプキンを生理用品廃棄用ごみ箱１０に捨てる際に、ごみ箱の内部は非常に見えにくい。
【００２３】
受皿２４には突条２６が形成されているため、生理用ナプキンが接着テープなどを備えていても、受皿２４に接着して、収納容器４０の内部に落下しない可能性は小さい。
【００２４】
上部カバー２０の第２開口に舌部２１を設けているため、受皿２４の板状部分の手前側は、平坦な状態でも、第２開口を塞ぐことができる。このため、受皿２４の板状部分の手前側に第２開口を塞ぐための壁面を形成する必要がない。受皿２４の板状部分の手前側が平坦であるため、生理用ナプキンは収納容器４０の内部に容易に落下することになる。
【００２５】
センサー３０、制御器３２およびモーター３４で構成される開閉手段によって、蓋部２２は開閉するため、使用者は手５０を生理用品廃棄用ごみ箱１０に触れる必要がなく、衛生的である。
【符号の説明】
【００２６】
１０…生理用品廃棄用ごみ箱、２０…上部カバー、２１…舌部、２２…蓋部、２４…受皿、２６…突条、３０…センサー、３２…制御器、３４…モーター、４０…収納容器、５０…手
【図１】
0003199370.tif 000003
【図２】
0003199370.tif 000004
【図３】
0003199370.tif 000005